(57)【要約】本発明は、ベッド（３）及び、例えば、高齢者、認知症患者又は身障者がとどまるよう構成された同じような場所を対象としたアラーム（２）のための装置（１）であって、ベッドの上に配設されアラームを発するよう構成された監視ユニット（６）と接続されたセンサ（７）の形を成す装置（１）に関する。センサ（７）は、センサ（７）と離れて設置された無線受信器（９）と無線通信を介して共働するよう構成され、それぞれ圧縮及び解放状態における媒体の静電容量の差を測定するよう構成されたユニットの形を成す。センサ（７）は、少なくとも一方の面に付けられた導電性ゲルを有し両面が電極によってそれぞれ覆われている圧縮性のプラスチックコアの形をなす。【選択図】図２
2008541929.tif 000002
【特許請求の範囲】
【請求項１】
ベッド（３）及び、例えば、高齢者（４）、認知症患者又は身障者がとどまるよう構成された同様な場所を対象としたアラーム（２）のための装置（１）であって、
前記ベッド（３）に設置され、アラームを発するよう構成された監視ユニット（６）に接続されたセンサ（７）を具えており、
前記センサ（７）が、前記ベッド（３）のマットレス（５）の下に配置するよう構成され、無線通信を介して前記センサ（７）から離れて設置された無線受信機（９）と共動するよう構成されており、
前記センサ（７）が、圧縮及び解放状態の媒体の静電容量の差をそれぞれ測定するよう配置され、
前記センサ（７）が、例えば発泡プラスチック、好適にはポリウレタン発泡プラスチックといった、多孔質な面を有する柔軟で多孔質プラスチック材料の圧縮性のプラスチックコア（１６）を具えており、
導電性ゲル（１０，１１）を前記プラスチックコアの両面（１２，１３）を覆うよう付けて、多孔質発泡体の塊に浸透するよう構成し、両面の前記導電性ゲル（１０，１１）を電極（１４，１５）で覆うことを特徴とする装置（１）。
【請求項２】
前記ポリウレタン発泡プラスチック（１６）の厚さ（Ｔ）が、４ｍｍから１２ｍｍ又はそれ以上であることを特徴とする請求項１に記載の装置。
【請求項３】
前記電極（１４，１５）がアルミニウムフォイルで形成されていることを特徴とする請求項１又は２に記載の装置。
【請求項４】
前記導電性ゲル（１０，１１）が、イオン伝導性又は電子伝導性のいずれかであり、粘着性の軟質フィルム状に形成され、付けた後に機械的に安定なゴム状体になり、１０−０から１０−７Ω２、好適には１０−２から１０−３Ω２の抵抗率を有することを特徴とする請求項１から３のいずれか１項に記載の装置。
【請求項５】
前記導電性ゲル（１０，１１）が、カーボンブラック／ポリメチル・メタクリレートといった高分子電解質、高分子複合材料で形成されることを特徴とする請求項４に記載の装置。
【請求項６】
上に居る人間（４）からの圧力を検出するよう配置され、前記センサから情報を受けるための電気ルームモジュール（８）と組み合わせて、アラームユニットを形成する圧力センサであって、
前記センサユニットが、バッテリとともに前記ルームモジュールと共動する送信機を具えており、
前記センサ（７）が、無線通信を介して、前記（７）センサから離れて設置された無線受信機（９）と共動するよう構成されており、
前記センサ（７）が、それぞれ圧縮及び解放状態の媒体の静電容量の差を測定するよう構成されており、
前記センサ（７）が、例えば発泡プラスチック、好適にはポリウレタン発泡プラスチックといった、多孔質な面を有する柔軟で多孔質プラスチック材料の圧縮性のプラスチックコア（１６）を具えており、
導電性ゲル（１０，１１）を前記プラスチックコアの両面（１２，１３）を覆うよう付けて、前記多孔質な発泡体の塊に浸透するよう構成し、両面の前記導電性ゲル（１０，１２）を電極（１４，１５）で覆うことを特徴とする圧力センサ。
【請求項７】
前記センサの活動面が、前記導電性ゲルを付けることによって実質的に増強され、
圧力の変化に対する前記センサの感度が増加することを特徴とする請求項６に記載の圧力センサ。
【請求項８】
内蔵型の電子機器によって、前記センサがマットレスの下のどの位置に設置されるか、例えば中央部、縁部又は上半分に応じて生じる圧力の変化を測定できるよう構成され、人間が居るか居ないかとともに、人間がベッドの縁部に向けて移動して前記ベッドから離れるかどうかについての情報を得ることを特徴とする請求項６又は７に記載の圧力センサ。
【請求項９】
前記センサを、比較的小さな寸法であるため、いすのガードとしても機能するよう構成してもよく、
前記センサを多機能で動作するよう構成することを特徴とする請求項６から８のいずれか１項に記載の圧力センサ。
【発明の詳細な説明】
【技術分野】
【０００１】
本発明は、ベッド及び、例えば、高齢者、認知症患者又は身障者がとどまるよう構成された同様の場所を対象としたアラームのための装置に関し、ベッドに設置され、アラームを発するよう構成された監視ユニットに接続されたセンサを具える。
【背景技術】
【０００２】
ここ１５年の間に、多くの様々ないわゆる「ベッドガード」又はベッドアラームが市場に出回っている。ベッドアラームは、第１に、複数の人間が同時に居住し、スタッフによって監視及び看護される病院、高齢者福祉施設及び他の同じような場所での、さらにはケアを受ける人間が親族によって又はホームヘルプサービス又は在宅看護のスタッフによって看護される個人の住居での、高齢者、認知症患者及び身障者のケアに使用される。前記アラームは、人間がそのベッドから出て、アラームに予め設定された所望の遅延時間内に再び横にならない場合に、アラームが始動してスタッフに知らせるような方法で作動する。
【０００３】
設定可能な遅延時間は、例えば、トイレに行く等の可能性のための特定の時間をケアを受ける人間に与えることを目的としている。このような所望の遅延時間を、看護師が予め定めてアラーム装置に設定できる。このような時間を超えた場合、アラームは、作動して看護師に信号を送ることで、看護師がケアを受ける人間に何かが起きたという事実を知り、その場所に来てチェックすることができるよう構成する。
【０００４】
遅延時間を非常に短い時間に設定した場合、アラームが落下保護として機能して、ベッドの人間がベッドを出るため、又は別の場所に行くため所望の位置に来ると、直ぐに警告するよう作動する。このため、スタッフに素早く注意して、患者が落ちたり負傷する危険にさらされるのを防止できる。
【発明の開示】
【発明が解決しようとする課題】
【０００５】
例えば、ＳＥ  ４６５  ６９５  Ｃ２及びＳＥ  ５１２  ４７７  Ｃ２によって、様々なベッドアラームが知られており、ケアを受ける人間のベッドに設置することを目的とした圧力センサを含むいわゆるベッドガードを形成する。装置（ｂｏｘ）によって、アラームが、遠隔ユニットに接続され、特に必要な電子機器を含み、特にアラームの所望の遅延時間を設定可能である。しかしながら、上記のタイプのベッドガードは、アラームのセンサをベッドのマットレスの上部に設置しなければならないため、それほど都合の良いものではなく、ケアを受ける人間がベッドの中に何か変な不快な物が有ると感じることが分かっている。これとともに、スタッフは、ベッドメーキングを行う度に、ベッドのきっちり正確な位置にセンサを設置しなければならず、センサから存在する電子装置さらにはフリーなコンセント、最終的に既存のアラームシステムに通している存在する全てのケーブルが、スタッフにとって煩わしく絡まってしまう。さらに、既知のアラームの信号処理は、短い遅延時間を設定した場合に、アラームが作動して信号が看護師に達するまでに、１０−１２秒かかるようになっている。これにより、患者が落下事故により負傷する大きな危険を伴う。
【０００６】
しかしながら、ＵＳ  ２００１／００２４７１２  Ａｌによって、上記のタイプと同じようなベッドガードであるが、マットレスの下に置かれるよう構成され、ケアを受ける人間及びスタッフに対する障害を避けるベッドガードが開示されている。しかしながら、これらのセンサは、元来上記のような人間ではなく他の人間を目的としている。このため、これと同じような状況において使用が適切であるかどうかは議論があり、このようなタイプのセンサは、配線接続され絡んでしまう複数のコードを具えている。
【０００７】
また、上記の「ベッドガード」は、いわゆる「シートガード」として実施する場合に利用できる。しかしながら、その点に関して、それはベッドガードとしての実施と異なるため、異なる機能を有する２つの異なる製品であると見なされる可能性がある。
【０００８】
また、ケアを受ける人間がベッドから出る場合に即時アラームを提供するための踏み付けマットがあり、これは、全ての状況を同時に解決できる同一の製品の代わりに、３つの異なる製品が市販されて、状況をそれぞれ解決することを意味する。
【０００９】
さらに、マットレスの下に設置することを目的とするベッドガードタイプが既知である。それは、ワイヤレスの信号伝達の実施に利用できるが、しかしながら、メーカ自身の受信機と組み合わせた場合のみ動作するよう構成されているため、適用が制限される。また、電子機器にアクセスすることが難しく、プログラミングが煩わしい。センサは、約１．５ｋｇの重さを有するため、重量があり、大きくて且つ見苦しい。
【００１０】
センサがベッドの外側に置かれる変形型のベッドガード又はアラームを使用できる。これらのセンサは、ケアを受ける人間のベッドの正面の床の上に置かれる様々なタイプのトレッドマット（ｔｒｅａｄ  ｍａｔｓ）又は移動検出器である。しかしながら、これらの既知のベッドガードは、機能するよう厳密に置かなければならないため、それほど便利なものではない。ケアを受ける人間の力で、さらには洗浄及びベッドメーキングする際にスタッフによって、ケアを受ける人間が望ましい位置から容易に出てしまうため、効果的且つ安全に作業しなくなる。さらに、上記のようなタイプのベッドガードは、遅延時間を設けることができない。
【００１１】
アラームの既知の改良型は、光学的なものに基づいている。しかしながら、それは、かなり高価で、プログラムするのが非常に複雑で、ストレスを受ける環境での看護及びケアにあまり適していない。
【００１２】
ＵＳ５８４４４８８  Ａは、ほんの数秒の遅延を具えたダイレクトアラーム機能及び例えば、トイレに行くために長く設定可能な遅延を具えた機能の双方を有するベッドガードに関する。また、このような既知のベッドガードに関するセンサは、ベッドのマットレスの上部に設置されることを予定しているが、これによる全ての付随する不利益がスタッフ／看護師とともにケアを受ける人間にかかってしまう。
【００１３】
ＵＳ  ２００３／０１３６２０１  Ａｌは、間に多くの容量性のセンサ素子を有する２つのシート層から成る「センサシート」である。これは、センサが、約１×２ｍのサイズのベッド全体を覆わなければならず、マットレスの上部に患者に直接接触するよう設置しなければならないことを意味する。センサ素子は、約１．３ｃｍの厚さを有し、ケーブルによって接続されている。まとめると、このようなタイプのセンサは、以下のような欠点を伴う；
１．患者がセンサ素子及びケーブルがあることを感じてしまう。
２．尿失禁するとシステムが作動しなくなる。
３．ベッドメーキングする度にスタッフがセンサに触ってセンサを壊す危険性がある。
４．センサの大きさにより、それを取り扱うのが難しい。
【００１４】
ＵＳ  ２００２／００７０８６６  Ａｌは、機材に「埋め込まれた」２つの容量センサを有するマットレスカバーとして構成される。このような構成の欠点は、一般に上記に関するものと同様である。
【００１５】
ＵＳ  ５７９６０５９  Ａは、容量センサではなく接触センサ（感圧スイッチ）を開示する（第１段落５１行及び第１段落６０−６５行）。
【００１６】
プラスチック層（１８）は、多孔質な材料ではないが、例えばＰＶＣ（第３段落６０−６５行）といった柔軟な穴（開口部又は孔部）の開いた材料である。
【００１７】
すなわち、導電性発泡体が非多孔質な柔軟な材料に浸透しないが、（通路を与える）材料に浸透して（第３段落、６５行）、隣接する面（１４）の導電性のある表面層に接触し、このような方法で閉回路を成す（第４段落、１−１０行）。
【００１８】
すなわち、ＵＳ  ５７９６０５９  Ａは、間違ったアラームを生じてしまうという点で、このようなタイプのセンサに関する上記の弱点及び制限をまさに有している。
【００１９】
その上、このようなセンサは、使用すべき人間の体重に関して汎用的でなく、様々な実施によって製造しなければならないという点で、制限されてしまう（第４段落、１０−１８）。
【００２０】
このため、上記のセンサはいずれも、完全に満足するよう動作するわけではない。すなわち、上記のような欠点がない新たなタイプのセンサの必要性がある。
【００２１】
従って、本発明の目的は、上記のような欠点を有しないベッドセンサを構成することである。
【課題を解決するための手段】
【００２２】
これは、本発明に係る圧力センサを構成することによって提供でき、このセンサは、小さくてマットレスの下に設置可能であり、人間がベッドに居るかベッドから出ているかどうかを安全に検出する。ここで解決される課題は、マットレスそのものが、マットレスの上に横たわっている人間の圧力を伝えて分散させることである。
【００２３】
マットレスの下のほぼ中央部に設置された容量センサの誘電体として、所定の厚さの柔軟なポリウレタン発泡体を使用することによって、センサが人間からマットレスを通る圧力を「捕らえる」ことが可能となる。
【００２４】
ポリウレタン発泡体は、低い誘電率を有し、誘電体を厚くすることができないため、このようなセンサは、かなり広い面積を有する必要がある。
【００２５】
これを、電極の活動面を増強することによって改善してもよい。
【００２６】
同様に、柔軟性のある導電性の塊がポリウレタン発泡体の多孔質な面に浸透するという事実によって、このようなことを行ってもよい。
【００２７】
ＵＳ  ２００３／０１３６２０１  Ａｌ及びＵＳ  ２００２／００７０８６６  Ａｌは、いずれも、かなり扱いにくく、患者の監視用に病院で使用する固定装置と比較され、ＵＳ  ２００３／０１３６２０１  Ａｌは、居るか居ないか以外の：「位置、動揺、呼吸の発作等」の検出も行うことができる。ＵＳ  ２００３／０１３６２０１  Ａｌ及びＵＳ  ２００２／００７０８６６  Ａｌは、ベッドに使用することだけを目的とするものであり、その大きさにより、いすの中に置くことができない。
【００２８】
高齢者用に設計された様々なタイプの家に設置することを目的とする簡単な解決法であって、しばしばストレスを受けるスタッフによって簡単に扱われ容易に「設置」でき、一方の患者から他方の患者に、及び例えばベッドからいすに簡単に移動できるような解決法の必要性がある。
【００２９】
このため、ここで規定している装置又は圧力センサが、上記の公報に、個別にも又は組み合わせても見られず、これらが新たな特許請求の範囲に規定されており、当該特許請求の範囲に規定した発明は、当業者にとって明らかであると見なすこともできない。
【００３０】
最終的に、容量圧力センサは、ＳＥ  ５１１３４９  Ｃ２及びＵＳ  ５１５９３１６  Ａによって既知である。しかしながら、当該既知のセンサはあまり適さず、あるいはベッドガードシステムのセンサとして全然機能できないようである。
【００３１】
本発明の主要な目的は、主にベッド及びこれと同じような場所を対象としたアラームのための装置であって、特に効果的且つ安全な方法で上記の課題を解決できる装置を提供することである。
【００３２】
前記目的は、本発明に係る装置によって達成され、本発明は、センサが、ベッドのマットレスの下に配置されるよう構成され、無線通信を介してセンサから離れて設置された無線受信機と共動するよう構成されており、センサが、それぞれ圧縮及び解放状態の媒体の静電容量の差を測定するよう構成され、センサが、例えば発泡プラスチック、好適にはポリウレタン発泡プラスチックといった、多孔質な面を有する柔軟で多孔質プラスチック材料の圧縮性のプラスチックコアを具えており、導電性ゲルをプラスチックコアの両面を覆うよう付けて、多孔質な発泡体の塊に浸透するよう構成し、両面の導電性ゲルを電極で覆う、ことを実質的に特徴とする。
【発明を実施するための最良の形態】
【００３３】
本発明を、添付図面を参照して好適な実施例の形式で以下に記載する。
【００３４】
ベッド３及び、例えば高齢者４、認知症患者又は身障者がとどまるよう構成された同じような場所を主に対象としたアラーム２のための装置１であって、ベッド３の上に配設されるセンサ７によって形成されて監視ユニット（６）と接続され、所定時にアラームを発するよう構成された装置１が、本発明によれば、センサ７と無線送信ユニット８とを具えている。
【００３５】
より正確には、センサ７が、センサ７から離れて位置する無線受信器９と無線通信を介して共働するよう構成されており、センサ７は、圧縮及び解放状態における媒体の静電容量の差を測定できるよう構成されたユニットの形状を成している。当該センサ７は、少なくとも一方の面１２，１３に付けられ各々の側がそれぞれ電極１４，１５によって覆われる導電性のゲル１０，１１を有する圧縮性のプラスチックコア１６の形状を成している。
【００３６】
本発明は、感圧容量センサ７及び「ルームモジュール」９という名の外部電子ユニットから成るベッドガードである。このセンサには、特に送信機及びバッテリを具えた内蔵型の電子機器２０が設けられており、送信機を介してルームモジュール９と通信するよう構成されている。また、それは、「私はここにいます。私は生きています」という方式に従ってそのような通信が維持されていることをチェックするよう構成されている。
【００３７】
ルームモジュール９は、ユーザとのインターフェイスであり、機能を選択するための制御部を有しており、所望の遅延時間を設定し、アラームの後にリセットするとともにオンオフの切り換えをする。
【００３８】
第１の実施例によれば、センサ７の一方の面１２のみが導電性ゲル１０によって覆われているが、第２の実施例によれば、センサ７の他方の面１３もまた導電性ゲル１１によって覆われている。圧力センサの機能は、媒体が圧縮した状態、及び自由に延びた状態の媒体の静電容量の差の測定に基づいているため、荷重を媒体に加えたか又は除荷したかの検出を実行する。
【００３９】
圧力センサの機能は、媒体が圧縮した状態、及び自由に伸びた状態での媒体の静電容量の差の測定に基づいているため、荷重が媒体に掛かっているか又は除荷されているかどうかの検出が実行される。
【００４０】
前記媒体はプラスチックコア１６で、柔軟性があり、多孔質な面を有する多孔質プラスチック材料、発泡プラスチック、好適にはポリウレタン発泡プラスチックで形成されている。当該ポリウレタン発泡プラスチックは、４ｍｍから１２ｍｍ又はそれ以上の厚さＴを有している。
【００４１】
圧力センサの機能は、媒体が圧縮した状態と負荷の影響を受けない状態との間の媒体の静電容量の差の測定に基づいているため、負荷が媒体に加わっているか否かを検出するものである。媒体１６は、柔軟性があり、多孔質な面を有する多孔質プラスチック材料、好適にはポリウレタン発泡プラスチックで形成されているため、負荷条件を容易に見付けることができる。
【００４２】
導電性ゲル１０，１１は、多孔質な発泡体の塊に浸透するよう構成されている。好適には、ポリウレタン発泡体が安価で多くの様々なグレードで市販されて前記媒体１６の空孔率、硬さ及び柔軟性に合致するため、ポリウレタン発泡体を使用する。このため、検出すべき負荷を考慮する様々な適用に従った媒体１６の適合が可能となる。
【００４３】
電極１４，１５は、問題になっているゲル１０，１１を覆っており、好適にはアルミニウム箔及び／又はアルミニウム／ポリエステル積層板の形を成す。
【００４４】
導電性ゲル１０，１１は、イオン伝導性又は電気伝導性であり、粘着性の軟質フィルムの形を成し、付けた後に機械的に安定したゴム状体になる。
【００４５】
原理的には、圧力センサ７は、誘電体として機能するコンデンサ及びポリウレタン発泡体である。圧力センサは、例えば、媒体１６の上面及び下面１２，１３に付けられ、発泡体の多孔質な面に浸透する導電性ゲル１０，１１で区別される。前記ゲル１０，１１の反対側の外側に向いた面は、柔軟性のある銅又はアルミニウム箔、例えば、銅／ポリエステル積層板及び／又はアルミニウム／ポリエステル積層板である接続電極１４，１５に接触しており、センサ７の最も外側に取り付けられ、電極の活動面を実質的に増強しているため、媒体１６が圧縮荷重を受けて２つの活動面間の距離が減少する場合に、測定可能な静電容量の差をも増加させる。導電性ゲルを適用することにより、例えば、取り囲むケーシングを含む２２ｃｍ×４６ｃｍの比較的小さな面を有するセンサによって、ベッドのマットレス５の上に横になる人間４が加える圧力を効果的に検出することが可能となるため、問題となっている人間４がベッド３から起きあがる場合にも検出する。この装置１は、問題となっているルームモジュール８に伝達される信号に測定した量を変換するよう構成された電子機器を有する。
【００４６】
センサ７は、縁に沿った空気穴２２を有する周囲を囲むケーシング２１に収容されている。堅くて頑丈な底部２３は、ベッドのフレームに見られるバネ又は他の堅い物による損傷からセンサを保護するよう構成されており、センサの下面に配置されている。例えば、当該底部はポリエステルのフォイルで形成してもよい。さらに、ベッドアラーム２は、圧力センサ７がルームモジュール９と組み合わせた３つの異なる機能を有する多機能のアラームユニットであるという事実によって区別され、この３つの異なる機能は、実行できる３つの異なるアラームモジュールを通常要する。
【００４７】
圧力センサ７は、高齢者及び認知症患者のケアのための受動的なアラームモジュールの概念に含まれる。ここで、配線を必要とせずにマットレスの下に置いてもよいため、従来のベッドガードを圧力センサ７に有利に取り替えてもよい。信号は、ユニットや、所要の電子機器を含み部屋のどこにでも設置できて従来のアラームシステムに接続されるか、又はスタッフ又は親族／看護師が持つ携帯型ユニットにアラームを転送する内蔵型無線ユニットを用いるルームモジュールに送信される。
【００４８】
圧力センサは、３つの機能を有する；
１．それがマットレス５の上半分の下の中央部に置かれた場合、それは遅延時間を具えたベッドガードとして機能する。すなわち、人間４がベッドを出てからアラームが始動するまでの調整可能な時間間隔が入れられる。
２．それがベッドの縁部１７に沿ってマットレス５の下に置かれた場合、それは、「即時アラーム」で動作する。すなわち、ベッド３の人間４がベッドの縁部１７に向かって体重を移動させてベッドから起き上がる場合、人間４がベッド３を出る前にアラームが直ちに始動する。このため、落下事故を効果的に防止することが可能となる。人間がベッドから出る側が確かでない場合、２つのセンサがベッドの各縁部に沿ってマットレスの下に置かれる。
３．また、センサをいすの座席クッションの下等に置いてもよく、そうすることで、「いすのガード」として機能する。
また、このような圧力センサの他の適用の可能性がある。
【００４９】
容量圧力センサの詳細な説明
容量圧力センサは、軟らかい誘電体から成り、２つの金属電極間に配置される。このようなシステムは、センサの本体である誘電体の機械的な変形によって変化する特定の静電容量を有している。このため、変形前Ｃ０と変形後Ｃｄとの静電容量の比ｋ＝Ｃｄ／Ｃ０は、負荷がシステムに加わっているかどうかを知らせるパラメータである。
【００５０】
以下の例は、様々なタイプのセンサの性能及び効果を示す。
【００５１】
タイプＡ：誘電体は、柔軟で多孔質な面を有する多孔質プラスチック材料でなければならず、好適にはポリウレタン発泡体である。大きさが２４×１８×０．８ｃｍのポリウレタン発泡体（Ｒｅｃｔｉｃｅｌ  Ｂ５０１２０，平均気泡直径＝８００μｍ，密度ｄ＝１２０，及び比表面積ｍ２／ｍ３＝２９００）の試料が、面積Ｓ＝４３２ｃｍ２を有する電極（アルミニウム箔）間に置かれている（図５参照）。以下の２つのケースの電極１４及び１５間の静電容量を測定する：すなわち、圧力を加えない場合（発泡体の厚さｄ０＝０．８ｃｍ）及び圧力を加える場合（発泡体の厚さｄｄ＝０．３ｃｍ）。ポリウレタン発泡体の表面は、電極に面しており、導電性ゲル層で覆われている。これにより、この系に、電極の活動面が実質的に増強するという事実によって特有の性質をもたらす。これは、ゲルが多孔質な発泡体の塊の中に浸透するために生じる。見積った浸透深さΔは、Δ≒０．０５ｃｍを与えた。電極の表面積Ｓは既知であり、発泡体の中のゲルの容量Ｖｇｅｌが、Ｖｇｅｌ＝Δ・Ｓ＝０．０５・４３２＝２１．６ｃｍ３と計算された。さらに、コンデンサの活動面Ｑが、Ｑ＝ｑ・Ｖｇｅｌ＝２９・２１．６＝６２６ｃｍ２（ここで、使用した発泡体の比表面積ｑはｑ＝２９ｃｍ２／ｃｍ３である）であることが分かった。記載した全ての必要なパラメータにより、静電容量Ｃ０及びＣｄを、以下のように計算した：
Ｃ０＝ε０εｆＱ／（ｄ０−２Δ）＝０．１２９ｎＦ，Ｃｄ＝ε０εｆＱ／（ｄｄ−２Δ）＝０．４５５ｎＦ，ｋ＝Ｃｄ／Ｃ０＝３．５２
測定によって以下の結果を得た：
Ｃ０＝０．１２５ｎＦ，Ｃｄ＝０．４５７ｎＦ，ｋ＝Ｃｄ／Ｃ０＝３．６６
測定値と計算値との偏差は、Ｃ０について３．２％で、Ｃｄについて０．４％である。センサの高い機能により、定数ｋに従った静電容量の相当な変化を具えている。
【００５２】
タイプＢ：これはタイプＡと似ているが、ポリウレタン発泡体の一方の側の面のみが導電性ゲルで覆われている。これは、コンデンサの活動面を規定する際の不確かさを意味する（一方の面が面積Ｓ＝４３２ｃｍ２を有しており、他方の面がＱ＝６２６ｃｍ２を有している）。
活動面がＱに相当すると仮定して、計算により以下を得た：
Ｃ０＝ε０εｆＱ／（ｄ０−Δ）＝０．１２１ｎＦ，Ｃｄ＝ε０εｆＱ／（ｄｄ−Δ）＝０．３６４ｎＦ，ｋ＝Ｃｄ／Ｃ０＝３．００
測定値として以下を得た：
Ｃ０＝０．０９５ｎＦ，Ｃｄ＝０．３１ｎＦ，ｋ＝Ｃｄ／Ｃ０＝３．２６
【００５３】
このケースでは、上記のような不確かさに基づいて偏差が高い（Ｃ０について２７．３％及びＣｄについて１４．８％）。しかしながら、測定した係数ｋは、依然として高い重要性を有しており、本方法の高い機能性を反映している。
【００５４】
ポリウレタン発泡体の厚さを変えて、４ｍｍから１２ｍｍの間、又はそれ以上厚くしてもよいが、ベッドに寝ている人間が、マットレスの下に何かが有ると感じないくらい厚くすべきではない。問題となっているベッドガードセンサは、例えば、１８０×４２０×８ｍｍの寸法を有する。
【００５５】
軽い人間、例えば子供を監視すべき場合、又は人間がベッドの両側から交互に起き上がる可能性が有る場合、同じベッドにいくつかのセンサを設置することが可能である。
【００５６】
ルームモジュールの詳細な説明
ルームモジュール８の電子機器は、圧力センサの静電容量の変化のみを測定することによって、電子機器が上記の３つの異なる機能を生じることができるという事実によって区別される。
１．遅延時間を具えた機能：ルームモジュールの機能選択器をこのような機能に設定する。センサがマットレスの上半分の下の中央部に設置され、ベッドに誰もいない場合、ルームモジュールの電子機器は、「中立位置」にある。人間がベッドに横たわる場合、圧力センサの静電容量が増加して、ルームモジュールの電子機器が「ａｌｅｒｔ」位置に切り替わる。人間がベッドから出ると、圧力センサの静電容量が減少してルームモジュールの電子機器が「ａｌａｒｍ」位置に切り替わり、設定した遅延時間を超えるとリレーが作動する。遅延時間を超える前に人間が再びベッドに横たわると、電子機器が「ａｌｅｒｔ」位置に戻る。
２．「即時アラーム」機能：ルームモジュールの機能選択器がこのような機能に設定される。センサが、ベッドの一方の縁部に沿って、又はその双方の縁部に沿ってマットレスの下に置かれた場合、ベッドに誰もいないと、ルームモジュールの電子機器が「中立」位置にある。人間がベッドに横たわる場合、圧力センサの静電容量が増加して、ルームモジュールの電子機器が「ａｌｅｒｔ」位置に設定される。人間がベッドの一方の側に向けて移動して起き上がると、圧力センサの静電容量が、「ａｌｅｒｔ」レベルを上回り、リレーが作動する。
３．「いすガード」機能：ルームモジュールの機能選択器がこのような機能に設定される。センサがいすのシートクッションの下に置かれ、誰もいすに座っていない場合、ルームモジュールの電子機器が、「中立」位置にある。人間がいすに座ると、センサの静電容量が増加して、ルームモジュールの電子機器が「ａｌｅｒｔ」位置に切り替わる。人間がいすから立ち上がると、このセンサの静電容量が減少して、ルームモジュールの電子機器が遅延することなしに直ちに「ａｌａｒｍ」位置に設定され、リレーが作動する。
【００５７】
ルームモジュールの電子機器が、複数の異なるセンサから信号を受信して処理する。
【００５８】
導電性ゲルの説明
導電性ゲルは、イオン伝導性又は電子伝導性のいずれでもよい。それは、厚くて、粘着性のある、ゴムのような堅さの柔軟なフィルムである必要がある。それは、ＰＵ発泡体の表面と電極との間の層に付けられ、多孔質な面に約１ｍｍの深さに浸透することができるくらい十分に軟らかい。その後、電極が原則として拡大するように、活動面が増強するような方法で機械的に安定なゴム状体になる。
【００５９】
ゲルは、１０−０から１０−７Ω２、好適には１０−２から１０−３Ω２の抵抗率を有する必要がある。
【００６０】
同時に、ゲルはポリウレタン発泡体を傷付けず、多少なりとも機械的な特性、柔軟性及び耐久性を減らす材料でできていなければならない。
【００６１】
適切な材料は、リチウム電池で使用されるのと同様な様々なタイプのポリマー電解質、又は様々なタイプのカーボン／ブラック高分子複合材料であってよい。
【００６２】
好適な実施例では、ゲルが、例えば、Ｌｕｃｉｔｅから入手できるＣｏｌａｃｒｙｌ  ＴＳ  １７８５といった、骨セメント又は歯の充填材として使用される、自然乾燥するポリメタクリル酸メチルから成るカーボンブラック／高分子複合材料であり、ＡｋｚｏＮｏｂｅｌから入手可能なＫｅｔｊｅｎｂｌａｃｋ  ６００型のカーボンブラックを導電性の充填材として使用する。
【００６３】
軟化剤としてプロピレン・カーボネートを使用すると、カーボンがプロピレン・カーボネートの中に分散し、ＰＭＭＡがスポンジのように機能して導電性のＰＣ／ＣＢ混合物を原則として吸収する、２相系の製造が可能となる。このため、複合材料の総量の約２．５重量％の比較的少ない割合のＣＢを具えて、約１０−２Ω２の抵抗率を達成することが可能となる。
【００６４】
本発明は、当然ながら上記及び添付の図面の実施例に限定されない。特許請求の範囲に規定されるように、本発明の保護される範囲から逸脱することなしに、特に様々なパーツの種類に関して、又は相当する方法の使用によって、又は変更が可能である。
【図面の簡単な説明】
【００６５】
【図１】図１は、ベッドに適用した本装置を示す。
【図２】図２は、アラームに含まれる部品の概要を示す。
【図３】図３は、感圧容量センサの部品の外観を示す。
【図４】図４は、センサの部品の分解図を示す。
【図５】図５は、電極間に置かれたポリウレタン発泡体を示す。
【図１】
2008541929.tif 000003
【図２】
2008541929.tif 000004
【図３】
2008541929.tif 000005
【図４】
2008541929.tif 000006
【図５】
2008541929.tif 000007
【国際調査報告】
2008541929.tif 000008
2008541929.tif 000009
2008541929.tif 000010
2008541929.tif 000011
2008541929.tif 000012